(57)【要約】【課題】インバータの冷却効率が低下することを抑える。【解決手段】インバータ収容筐体４０は、インバータ３１を収容する中空箱状の筐体本体４１と、筐体本体４１の内部に設けられ、筐体本体４１の底面に対して傾斜して延び、インバータ３１を冷却するための空気の流路Ｒを形成するインバータ支持部４２と、筐体本体４１の外部から流路Ｒに空気を取り込む取込口４４と、流路Ｒの延長線Ｌ上に形成され、筐体本体４１の内外を貫通し、流路Ｒから空気が排出される排出口４５と、を備える。【選択図】図２
2019134129.tif 000002
【特許請求の範囲】
【請求項１】
インバータを収容する中空箱状の筐体本体と、
前記筐体本体の内部に設けられ、前記筐体本体の底面に対して傾斜して延び、前記インバータを冷却するための空気の流路を形成する流路形成部と、
前記筐体本体の外部から前記流路に空気を取り込む取込口と、
前記流路形成部により形成される前記流路の延長線上に形成され、前記流路から前記空気が排出される排出口と、
を備えるインバータ収容筐体。
【請求項２】
前記流路に前記空気の流れを生じさせるファンをさらに備える請求項１に記載のインバータ収容筐体。
【請求項３】
前記流路形成部は、前記インバータとは反対側で前記筐体本体の内周面との間に隙間をあけて設けられ、
前記流路形成部には、前記隙間に連通する隙間連通部が形成されている請求項１又は２に記載のインバータ収容筐体。
【請求項４】
前記取込口は、前記隙間に連通している請求項３に記載のインバータ収容筐体。
【請求項５】
前記流路形成部は、前記インバータを支持するインバータ支持部である請求項１から４のいずれか一項に記載のインバータ収容筐体。
【請求項６】
前記インバータ支持部は、複数種の前記インバータを装着するため、複数組のインバータ取付孔を有している請求項５に記載のインバータ収容筐体。
【請求項７】
前記筐体本体は、
前記インバータ支持部のインバータ支持面に交差する方向に開口を有する筐体ベース部と、
前記筐体ベース部の前記開口に着脱可能に設けられた筐体カバー部と、
を備える請求項５又は６に記載のインバータ収容筐体。
【請求項８】
前記筐体カバー部は、
前記筐体本体の上面の少なくとも一部を形成する天面部と、
前記筐体本体の側面の少なくとも一部を形成する側面部と、
を備え、
前記天面部は、前記排出口よりも前記筐体本体の外側に突出している請求項７に記載のインバータ収容筐体。
【請求項９】
前記取込口は、前記筐体本体の底面に形成されている請求項１から８のいずれか一項に記載のインバータ収容筐体。
【請求項１０】
前記排出口は、前記流路の上方に位置し、前記筐体本体の側面に形成されている請求項１から９のいずれか一項に記載のインバータ収容筐体。
【請求項１１】
請求項１から１０のいずれか一項に記載のインバータ収容筐体と、
前記筐体本体に収容されるインバータと、
を備えるインバータ装置。
【請求項１２】
前記流路形成部は、前記インバータを支持するインバータ支持部であり、
前記流路は、前記インバータと前記インバータ支持部とで挟まれる位置に形成されており、
前記筐体本体は、
前記インバータ支持部のインバータ支持面に交差する方向に開口を有する筐体ベース部と、前記開口に着脱可能に設けられた筐体カバー部と、
を備え、
前記インバータ支持部に支持された前記インバータは、斜め上方を向く操作部を有している請求項１１に記載のインバータ装置。
【請求項１３】
前記インバータの下端部から下方に延出する配線をさらに備える請求項１２に記載のインバータ装置。
【請求項１４】
請求項１１から１３のいずれか一項に記載のインバータ装置を備えるチリングユニット。
【発明の詳細な説明】
【技術分野】
【０００１】
本発明は、インバータ収容筐体、インバータ装置、及びチリングユニットに関する。
【背景技術】
【０００２】
特許文献１には、上部に複数の空気熱交換器を配置し、冷凍サイクルのうち空気熱交換器を除くコントロールボックス等の構成部品を下部の収容部に配置したチリングユニットが開示されている。
【先行技術文献】
【特許文献】
【０００３】
【特許文献１】特許第５４０１５６３号公報
【発明の概要】
【発明が解決しようとする課題】
【０００４】
チリングユニットは水ポンプを備えており、チリングユニットには、その水ポンプを駆動させるためのインバータ、及びその収容筐体が設けられている。
ところで、例えば上記したような水ポンプを制御するインバータを用いる場合、インバータに雨水やドレン水等がかかるのを防止する必要がある。このため、インバータの収容筐体は箱状をなし、チリングユニットの下部の収容部に配置される。インバータの発熱を抑えるため、筐体内には、ファンが設けられている。このファンの作動により、筐体の外部から取り込まれた空気をインバータに接触させることで、インバータから熱を奪い、その発熱を抑える。インバータを経た空気は、筐体に形成された排出口から、筐体の外部に排出される。
【０００５】
インバータから熱を奪うことで温度上昇した空気は、筐体内で上昇する。しかし、空気の排出口は、筐体内への水の浸入を防ぐため、筐体の上面以外の側面等に形成される。このため、温度上昇した空気が筐体外に排出されにくく、インバータの排熱によって筐体内の温度が上昇してしまう。その結果、インバータの冷却効率が低下してしまう。
【０００６】
そこで本発明は、インバータの冷却効率が低下することを抑えることができるインバータ収容筐体、インバータ装置、及びチリングユニットを提供することである。
【課題を解決するための手段】
【０００７】
本発明は、上記課題を解決するため、以下の手段を採用する。
本発明の一態様に係るインバータ収容筐体は、インバータを収容する中空箱状の筐体本体と、前記筐体本体の内部に設けられ、前記筐体本体の底面に対して傾斜して延び、前記インバータを冷却するための空気の流路を形成する流路形成部と、前記筐体本体の外部から前記流路に空気を取り込む取込口と、前記流路形成部により形成される前記流路の延長線上に形成され、前記流路から前記空気が排出される排出口と、を備える。
【０００８】
このように、流路形成部により形成される空気の流路が傾斜して延び、排出口が流路の延長線上に形成されているので、インバータを冷却して流路を流れてきた空気は、排出口から効率良く排出される。これにより、インバータを冷却することで温度上昇した空気が筐体本体内に滞留することを抑えることができる。
【０００９】
また、上記態様に係るインバータ収容筐体は、前記流路に前記空気の流れを生じさせるファンをさらに備えてもよい。
このように構成することで、ファンによって流路に空気の流れを生じさせて、インバータを効率良く冷却することができる。
【００１０】
また、上記態様に係るインバータ収容筐体では、前記流路形成部が、前記インバータとは反対側で前記筐体本体の内周面との間に隙間をあけて設けられ、前記流路形成部には、前記隙間に連通する隙間連通部が形成されていてもよい。
このように構成することで、流路形成部内には、隙間連通部を通して、流路形成部と筐体本体の内周面との間の隙間の空気を取り込むことができ、流路を流れる空気量を増大させることができる。
【００１１】
また、上記態様に係るインバータ収容筐体では、前記取込口が、前記隙間に連通していてもよい。
このように構成することで、流路形成部と筐体本体の内周面との間の隙間には、取込口から筐体本体の外部の空気を取り込むことができる。これにより、隙間連通部を通して、筐体本体の外部の空気をより多く取り込むことができ、インバータの冷却効率が高まる。
【００１２】
また、上記態様に係るインバータ収容筐体では、前記流路形成部は、前記インバータを支持するインバータ支持部であってもよい。
このように構成することで、インバータを流路に沿わせて傾斜させることができ、流路を流れる空気をインバータに効率良く接触させて冷却を図ることができる。また、インバータを傾斜させることで、インバータ収容筐体の高さを抑えることができる。
【００１３】
また、上記態様に係るインバータ収容筐体では、前記インバータ支持部は、複数種の前記インバータを装着するため、複数組のインバータ取付孔を有していてもよい。
このように構成することで、インバータ収容筐体に、大きさ等が異なる複数種のインバータを装着することが可能となる。これにより、インバータ収容筐体の汎用性が高まる。
【００１４】
また、上記態様に係るインバータ収容筐体では、前記筐体本体が、前記インバータ支持部のインバータ支持面に交差する方向に開口を有する筐体ベース部と、前記筐体ベース部の前記開口に着脱可能に設けられた筐体カバー部と、を備えていてもよい。
このように構成することで、筐体カバー部を筐体ベース部の開口から取り外せば、インバータ支持部に支持されるインバータを、開口から容易に視認できる。これにより、インバータの操作やメンテナンス等の作業を容易に行うことが可能となる。
【００１５】
また、上記態様に係るインバータ収容筐体では、前記筐体カバー部が、前記筐体本体の上面の少なくとも一部を形成する天面部と、前記筐体本体の側面の少なくとも一部を形成する側面部と、を備え、前記天面部は、前記排出口よりも前記筐体本体の外側に突出していてもよい。
このように構成することで、天面部が、排出口が形成された筐体本体の側面よりも筐体本体の外側に突出することによって、天面部が庇のように機能し、排出口を通じて外部から水が筐体本体内に侵入することを抑えることができる。
【００１６】
また、上記態様に係るインバータ収容筐体では、前記取込口は、前記筐体本体の底面に形成されていてもよい。
このように構成することで、取込口は、筐体本体の底面から下方に向かって開口することとなり、取込口を通じて外部から水が筐体本体内に侵入することを抑える。
【００１７】
また、上記態様に係るインバータ収容筐体では、前記排出口は、前記流路の上方に位置し、前記筐体本体の側面に形成されているようにしてもよい。
このように構成することで、排出口を通じて外部から水が筐体本体内に侵入することを抑えることができる。
【００１８】
また本発明の一態様に係るインバータ装置は、上記のインバータ収容筐体と、前記インバータ収容筐体の前記筐体本体に収容されるインバータと、を備える。
【００１９】
このように構成することで、インバータを冷却することで温度上昇した空気が筐体本体内に滞留することを抑え、インバータの冷却効率が低下することを抑えることができる。
【００２０】
また、上記態様に係るインバータ装置では、前記流路形成部は、前記インバータを支持するインバータ支持部であり、前記流路は、前記インバータと前記インバータ支持部とで挟まれる位置に形成されており、前記筐体本体は、前記インバータ支持部のインバータ支持面に交差する方向に開口を有する筐体ベース部と、前記開口に着脱可能に設けられた筐体カバー部と、を備え、前記インバータ支持部に支持された前記インバータは、斜め上方を向く操作部を有していてもよい。
このように構成することで、筐体カバー部を取り外せば、操作部の露出が可能であるため、インバータの操作部が側方を向いている場合に比較して操作部の視認や操作を行いやすくなる。
【００２１】
また、上記態様に係るインバータ装置は、前記インバータの下端部から下方に延出する配線をさらに備えていてもよい。
このように構成することで、筐体カバー部を取り外せばインバータの配線を容易に視認することができ、配線のメンテナンス作業等を容易に行うことができる。
【００２２】
本発明の一態様に係るチリングユニットは、上記したようなインバータ装置を備える。
【００２３】
このように構成することで、インバータを冷却することで温度上昇した空気が筐体本体内に滞留することを抑え、インバータの冷却効率が低下することを抑えることができる。
【発明の効果】
【００２４】
この発明に係るインバータ収容筐体、インバータ装置、及びチリングユニットによれば、インバータの冷却効率が低下することを抑える。
【図面の簡単な説明】
【００２５】
【図１】この発明の一実施形態に係るチリングユニットの外観を示す斜視図である。
【図２】上記チリングユニットに備えられたインバータ装置の構成を示す縦断面図である。
【図３】上記インバータ装置の外観を示す斜視図である。
【図４】上記インバータ装置の筐体ベース部を示す斜視図である。
【図５】上記筐体ベース部にインバータを設置した状態を示す斜視図である。
【発明を実施するための形態】
【００２６】
以下、添付図面を参照して、本発明によるインバータ収容筐体、インバータ装置、チリングユニットを実施するための形態を説明する。しかし、本発明はこの実施形態のみに限定されるものではない。
【００２７】
図１に示すように、チリングユニット１は、熱交換部１０と、熱交換部１０の下方に配置された機械室部２０と、を備える。
熱交換部１０は、平面視略長方形状をなしている。以下の説明において、水平面内において熱交換部１０の短辺方向を前後方向Ｘ、水平面内で熱交換部１０の長辺方向を幅方向Ｙ、前後方向Ｘ及び幅方向Ｙに直交する方向を上下方向Ｚと称する。
【００２８】
熱交換部１０は、上下方向Ｚにおいて機械室部２０の上方に設けられている。熱交換部１０は、空気熱交換器１１と、送風機１２と、を備える。
【００２９】
空気熱交換器１１は、前後方向Ｘの両側に設けられている。前後方向Ｘの第一の側の空気熱交換器１１Ａと、前後方向Ｘの第二の側の空気熱交換器１１Ｂとは、前後方向Ｘの間隔が上下方向Ｚの下方から上方に向かって漸次広がるよう、幅方向Ｙから見て略Ｖ字状に配置されている。
【００３０】
送風機１２は、空気熱交換器１１に空気を送風する。送風機１２は、熱交換部１０の上面に、幅方向Ｙに沿って複数個が設けられている。
【００３１】
機械室部２０は、ベースフレーム２１と、機械室ハウジング２２と、インバータ装置３０と、を備えている。
ベースフレーム２１は、設置面上に設けられている。ベースフレーム２１は、平面視で前後方向Ｘよりも幅方向Ｙに長い矩形枠状をなしている。
【００３２】
機械室ハウジング２２は、ベースフレーム２１上に設けられている。そして機械室ハウジング２２上に、上記熱交換部１０が設けられている。機械室ハウジング２２は、中空箱状で、その内部に、冷凍サイクルを構成する複数の機器が収納されている。機械室ハウジング２２内に収納される機器としては、例えば、コントロールボックス、圧縮機、水熱交換器等（いずれも図示無し）がある。圧縮機、水熱交換器、および空気熱交換器１１は、冷媒配管（図示無し）により順次接続されている。水熱交換器には水ポンプが接続され、冷温水を給排水する。水ポンプは、後述のインバータ装置３０により駆動している。
【００３３】
図２に示すように、インバータ装置３０は、機械室部２０の機械室ハウジング２２内に収容されている。インバータ装置３０は、インバータ３１と、インバータ３１を収容するインバータ収容筐体４０と、を備えている。
【００３４】
インバータ３１は、直方体状のケーシング３１ｃ内に、コントロールボックスでインバータ制御を行うためのインバータ基板（図示無し）を備えている。インバータ３１のケーシング３１ｃの表面３１ａには、インバータ３１を操作するためのスイッチ（図示無し）やインバータ３１の作動状態等を示す表示部（図示無し）を備えた操作部３１ｓが設けられている。インバータ３１は、ケーシング３１ｃの下端部３１ｄから、コントロールボックス（図示無し）や電源（図示無し）等に接続される配線３１ｈが延出されている。
【００３５】
インバータ３１の背面３１ｂには、流路部３２が一体に設けられている。流路部３２は、ケーシング３１ｃの下端部３１ｄ側から上端部３１ｔ側に向かって連続する断面矩形の筒状をなしている。流路部３２内には、インバータ３１の背面３１ｂに沿って、インバータ３１を冷却するための空気が流れる。
【００３６】
インバータ収容筐体４０は、筐体本体４１と、インバータ支持部（流路形成部）４２と、取込口４４と、排出口４５と、ファン４６と、を備えている。
【００３７】
図２、図３に示すように、筐体本体４１は、全体として中空箱状で、インバータ３１を収容する。筐体本体４１は、筐体ベース部４７と、筐体カバー部４８と、を備えている。
図２、図４に示すように、筐体ベース部４７は、底板（底面）４７ｂと、一対の側板４７ｃと、背板４７ｄと、を備えている。底板４７ｂは、水平面内に位置し、ベースフレーム２１上に設置される。より詳しくは、底板４７ｂは、ベースフレーム２１上に設けられた支持台２１ａに支持されていることで、底板４７ｂとベースフレーム２１との間には隙間が形成されている。一対の側板４７ｃは、それぞれ、底板４７ｂの幅方向Ｙの両端部から上下方向Ｚの上方に向かって延出している。背板４７ｄは、底板４７ｂの前後方向Ｘの後方の端部から上下方向Ｚの上方に向かって延出し、一対の側板４７ｃ間を連結している。このようにして、筐体ベース部４７は、上下方向Ｚの上方、及び前後方向Ｘの前方に向かって開放された開口４７ａを備えている。
【００３８】
図２、図３に示すように、筐体カバー部４８は、筐体ベース部４７に対し、ビス（図示無し）等によって着脱可能とされている。筐体カバー部４８は、筐体ベース部４７に装着した状態で、開口４７ａを塞ぐ。筐体カバー部４８は、天面部４８ａと、側面部４８ｂと、を備え、幅方向Ｙから見たときに、略Ｌ字状をなしている。天面部４８ａは、筐体ベース部４７の一対の側板４７ｃ上に設けられ、筐体本体４１の上面を形成する。側面部４８ｂは、天面部４８ａの前後方向Ｘの前端部から上下方向Ｚの下方に垂下している。側面部４８ｂは、一対の側板４７ｃの間を前後方向Ｘの前方から塞ぎ、筐体本体４１の前後方向Ｘの前方を向く側面を形成する。
ここで、天面部４８ａの前後方向Ｘの後方の端部４８ｅは、筐体ベース部４７の背板４７ｄよりも前後方向Ｘの後方に突出している。
【００３９】
図２、図４に示すように、インバータ支持部４２は、筐体本体４１の内部に設けられ、インバータ３１及び流路部３２を支持する。よって流路部３２はインバータ支持部４２とインバータ３１とによって挟まれるように配置されている。インバータ支持部４２は、平板状の板材４２ｐが、水平面及び鉛直面に対して傾斜して設けられることで形成されている。インバータ支持部４２は、前後方向Ｘの前方から後方に向かって、漸次上方に向かって傾斜している。インバータ支持部４２は、斜め上方を向くインバータ支持面４２ｆに、インバータ３１の背面３１ｂに設けられた流路部３２を対向させて支持する。これにより、インバータ支持部４２に支持されたインバータ３１及び流路部３２は傾斜して支持される。インバータ支持部４２によって流路部３２が傾斜して支持されることで、筐体本体４１の底面に対して傾斜して直線状に延びる流路Ｒが形成される。
【００４０】
また、図２、図５に示すように、インバータ支持部４２に支持されたインバータ３１は、表面３１ａに設けられた操作部３１ｓを斜め上方に向けている。上記の筐体ベース部４７の開口４７ａは、インバータ支持部４２のインバータ支持面４２ｆに交差する方向に筐体本体４１の内部を開放している。このため、インバータ支持部４２に支持されたインバータ３１では、表面３１ａに設けられた操作部３１ｓが開口４７ａ側を向いている。
【００４１】
図４に示すように、インバータ支持部４２には、インバータ３１をボルト（図示無し）等で固定するためのインバータ取付孔４２ｇが複数形成されている。インバータ取付孔４２ｇは、例えば大きさ等が異なる複数種のインバータ３１を択一的に選択してインバータ支持部４２に装着できるよう、位置が互いに異なる複数組が設けられている。本実施形態では、例えば３組のインバータ取付孔４２ｇａ，４２ｇｂ，４２ｇｃが設けられている。
【００４２】
図２に示すように、インバータ支持部４２を形成する板材４２ｐは、インバータ支持部４２とは反対側において、筐体本体４１の底板４７ｂと背板４７ｄとの間に隙間Ｓをあけて設けられている。板材４２ｐの中央部には、流路Ｒと隙間Ｓとを連通する隙間連通部４２ｈが形成されている。隙間連通部４２ｈは上面視で四角形状をなす孔である。
【００４３】
取込口４４は、筐体本体４１の外部から流路Ｒに空気を取り込む。取込口４４は、筐体本体４１の底面を形成する筐体ベース部４７の底板４７ｂを、上下方向Ｚに貫通して形成されている。この取込口４４は、インバータ収容筐体４０を支持するベースフレーム２１の内側で、上下方向Ｚの下方に向かって開口している。
取込口４４は、流路Ｒの延長線Ｌ上に形成されている。取込口４４は、流路Ｒの下端部に臨むよう形成されている。さらに、取込口４４は、インバータ支持部４２を形成する板材４２ｐと、筐体本体４１の底板４７ｂ及び背板４７ｄとの間の隙間Ｓに連通するよう形成されている。
【００４４】
排出口４５は、流路Ｒ内の空気を筐体本体４１の外部に排出する。排出口４５は、流路Ｒの延長線Ｌ上に形成されている。排出口４５は、流路Ｒの上方に位置し、筐体本体４１の背板４７ｄを前後方向Ｘに貫通して形成されている。排出口４５は、背板４７ｄの上端部を切り欠いて形成されている。このようにして、排出口４５は、流路Ｒの上端部に臨むよう形成されている。そして延長線Ｌの延びる方向（流路Ｒの延在方向）から流路Ｒの開口を見た際に、流路Ｒの上部の開口Ｒａ１のすべての領域が視認できるように排出口４５が形成されているとよい。
【００４５】
ファン４６は、流路部３２内の流路Ｒに設けられている。ファン４６は、駆動源となるモータ（図示無し）によって作動し、流路Ｒ内に、下方の取込口４４側から上方の排出口４５側に向かう空気の流れを生じさせる。本実施形態では、ファン４６は流路Ｒ内における上部に設けられている。
【００４６】
このようなインバータ装置３０においては、ファン４６を作動させると、筐体本体４１の外部から取込口４４を通して空気が流路Ｒの下部の開口Ｒａ２から流路Ｒに取り込まれる。またインバータ支持部４２の裏側の隙間Ｓは、取込口４４を通して筐体本体４１の外部に連通しているので、流路Ｒ内には、ファン４６の作動により隙間Ｓ及び隙間連通部４２ｈを通して、筐体本体４１の外部の空気が導入される。
流路Ｒ内に取り込まれた空気は、取込口４４から斜め上方の排出口４５に向かって流れる。この空気が、インバータ３１の背面３１ｂに接触することで、インバータ３１が冷却される。
インバータ３１を冷却して温度上昇した空気は、流路Ｒ内をさらに斜め上方に流れ、排出口４５を通して筐体本体４１の外部に排出される。
【００４７】
また、インバータ装置３０において、インバータ３１の操作やメンテナンス等を行うときには、筐体本体４１の筐体カバー部４８を、筐体ベース部４７から取り外す。すると、図５に示すように、インバータ支持部４２に支持されたインバータ３１の操作部３１ｓや配線３１ｈは、筐体ベース部４７の開口４７ａ側に向いている。これにより、操作部３１ｓや配線３１ｈが、開口４７ａから容易に視認される。
【００４８】
上述したようなインバータ収容筐体４０、インバータ３１、チリングユニット１によれば、インバータ支持部４２により流路部３２が支持されることで形成される空気の流路Ｒが、傾斜して延び、排出口４５が流路Ｒの延長線Ｌ上に形成されている。これにより、インバータ３１を冷却して流路Ｒを流れてきた空気は、排出口４５から効率良く排出される。これにより、インバータ３１を冷却することで温度上昇した空気が筐体本体４１内に滞留することを抑え、インバータ３１の冷却効率が低下することを抑えることができる。
【００４９】
また、ファン４６によって流路Ｒに空気の流れを生じさせることで、インバータ３１を効率良く冷却することができる。
【００５０】
また、インバータ支持部４２を形成する板材４２ｐは、インバータ３１とは反対側で筐体本体４１の内周面との間に隙間Ｓをあけて設けられ、板材４２ｐには、隙間Ｓに連通する隙間連通部４２ｈが形成されている。これにより、流路Ｒ内には、隙間連通部４２ｈを通して、インバータ支持部４２と筐体本体４１の内周面との間の隙間Ｓの空気を取り込むことができる。したがって、流路Ｒを流れる空気量を増大させることができ、インバータ３１の冷却効率を高めることができる。
【００５１】
さらに、取込口４４は、隙間Ｓに連通しているので、隙間Ｓには、取込口４４から筐体本体４１の外部の空気を取り込むことができる。これにより、隙間Ｓ及び隙間連通部４２ｈを通して、筐体本体４１の外部の空気をより多く取り込むことができ、インバータ３１の冷却効率が高まる。
【００５２】
また、インバータ支持部４２は、インバータ３１を流路Ｒに対応して傾斜して支持することで、インバータ３１の一面を流路Ｒに沿わせて傾斜させることができる。これにより、流路Ｒを流れる空気をインバータ３１に効率良く接触させて冷却を図ることができる。また、インバータ３１を傾斜させることで、インバータ収容筐体４０の高さを抑えることも可能となる。
【００５３】
また、インバータ支持部４２は、複数組のインバータ取付孔４２ｇを有している。これにより、インバータ収容筐体４０に、大きさ等が異なる複数種のインバータ３１を適宜選択して備えることが可能となる。これにより、インバータ収容筐体４０の汎用性が高まる。
【００５４】
また、筐体本体４１は、開口４７ａを有する筐体ベース部４７と、筐体ベース部４７の開口４７ａに着脱可能に設けられた筐体カバー部４８と、を備える。このように構成することで、筐体カバー部４８を筐体ベース部４７の開口４７ａから取り外せば、筐体ベース部４７に設けられたインバータ３１を、開口４７ａを通して容易に視認できる。これにより、インバータ３１の操作やメンテナンス等の作業を容易に行うことが可能となる。
【００５５】
また、筐体カバー部４８の天面部４８ａの端部４８ｅが、排出口４５が形成された筐体本体４１の背板４７ｄに形成され排出口４５よりも筐体本体４１の外側に突出している。これにより、天面部４８ａが庇のように機能し、外部からの水が排出口４５を通じて筐体本体４１内に侵入することを抑えることができる。
【００５６】
また、取込口４４は、筐体本体４１の底面に形成されているので、取込口４４は筐体本体４１の底面から下方に向かって開口することになる。これにより、取込口４４を通じて外部から水が筐体本体４１内に侵入することを抑えることができる。
【００５７】
また、排出口４５は、流路Ｒの上方に位置し、筐体本体４１の背板４７ｄに形成されている。このように構成することで、排出口４５を通じて外部から水が筐体本体４１内に侵入することを抑えることができる。
【００５８】
また、インバータ支持部４２に支持されたインバータ３１は、斜め上方を向く操作部３１ｓを有している。このように構成することで、インバータ３１の操作部３１ｓが側方を向いている場合に比較し、操作部３１ｓの視認や操作を行いやすくなる。
また、インバータ３１は、インバータ３１の下端部３１ｄから下方に延出する配線３１ｈを有している。そして筐体カバー部４８を取り外せば、インバータ３１の操作部３１ｓや配線３１ｈを容易に視認することができ、操作部３１ｓの操作、操作部３１ｓや配線３１ｈのメンテナンス作業等を容易に行うことができる。
【００５９】
（その他の実施形態）
なお、本発明のインバータ収容筐体、インバータ装置、チリングユニットは、図面を参照して説明した上述の実施形態に限定されるものではなく、その技術的範囲において様々な変形例が考えられる。
例えば、上記実施形態では、インバータ３１の裏側（斜め下方）に、流路Ｒを形成する流路部３２を備えるようにしたが、流路部３２をインバータ３１に対して斜め上方側に配置してもよい。即ち、流路Ｒをインバータ３１の上面に配置してもよい。
また、上記実施形態では、インバータ３１と流路部３２とを一体に設けるようにしたが、これに限らない。インバータ３１と、流路Ｒを形成する流路形成部とを別体に設けるようにしてもよい。その場合、インバータ３１を支持するインバータ支持部と、流路Ｒを形成する流路形成部とは、一体に設けてもよいし、別々に設けてもよい。
【００６０】
また、隙間連通部４２ｈは必ずしも設けなくともよい。この場合、取込口４４は隙間Ｓに連通していなくともよい。
【００６１】
また、上記実施形態で示したような筐体本体４１は、既存のインバータ装置の筐体と交換することも可能である。上記筐体本体４１に交換すれば、既存のインバータ装置を、上記実施形態で示したインバータ装置３０とすることができる。
これ以外にも、本発明の主旨を逸脱しない限り、上記実施の形態で挙げた構成を取捨選択したり、他の構成に適宜変更したりすることが可能である。
【符号の説明】
【００６２】
１  チリングユニット
１０  熱交換部
１１、１１Ａ、１１Ｂ  空気熱交換器
１２  送風機
２０  機械室部
２１  ベースフレーム
２１ａ  支持台
２２  機械室ハウジング
３０  インバータ装置
３１  インバータ
３１ａ  表面
３１ｂ  背面（側面）
３１ｃ  ケーシング
３１ｄ  下端部
３１ｈ  配線
３１ｓ  操作部
３１ｔ  上端部
３２  流路部
４０  インバータ収容筐体
４１  筐体本体
４２  インバータ支持部（流路形成部）
４２ｆ  インバータ支持面
４２ｇ、４２ｇａ、４２ｇｂ、４２ｇｃ  インバータ取付孔
４２ｈ  隙間連通部
４２ｐ  板材
４４  取込口
４５  排出口
４６  ファン
４７  筐体ベース部
４７ａ  開口
４７ｂ  底板（底面）
４７ｃ  側板
４７ｄ  背板
４８  筐体カバー部
４８ａ  天面部
４８ｂ  側面部
４８ｅ  端部
Ｌ  延長線
Ｒ  流路
Ｒａ１  開口
Ｒａ２  開口
Ｓ  隙間
Ｘ  前後方向
Ｙ  幅方向
Ｚ  上下方向
【図１】
2019134129.tif 000003
【図２】
2019134129.tif 000004
【図３】
2019134129.tif 000005
【図４】
2019134129.tif 000006
【図５】
2019134129.tif 000007